(57)【特許請求の範囲】
【請求項１】
室内の入口部分および／または通路部分の床タイルを接着剤または粘着剤で床下地に貼着し、それ以外の部分の床タイルは置き敷きにより敷設する床タイルの施工方法において、前記室内の入り口部分および／または通路部分の床タイルに対して、塗布量３０ｇ／ｍ２で塗布した場合のせん断粘着力が０．０１Ｎ／ｍｍ２以上、０．０３Ｎ／ｍｍ２以下の接着剤または粘着剤を使用し、床タイルの裏面同士を向い合わせて重ねた時、該粘着剤同士が互いに重なり合うような形で、かつ床タイルの裏面の四隅と四隅以外の裏面の一部に粘着剤が部分的に設けられており、粘着剤の塗布割合が、裏面の全面積の３％以上、３０％以下であり、かつ床タイルの端縁から内部に向って５０ｍｍまでの範囲に全塗布量の４０〜８０％の粘着剤が使用された床タイルを使用することを特徴とする床タイルの施工方法。
【発明の詳細な説明】
【０００１】
【発明の属する技術分野】
本発明は、床タイルの施工方法に関する。
【０００２】
【従来の技術】
近年、廃棄物の処理が非常に困難になってきたことに伴い、建築廃材のリサイクルが強く意識されるようになった。床材としては、カーペットや合成樹脂などが使用されているが、どんな床材にしろリサイクルの際の邪魔物はセメントやエポキシ樹脂などの床材用硬化型接着剤である。これら硬化型接着剤を用いると、床材の剥離が容易でなく、剥離した後も床材や下地面に硬化型接着剤が残存し、この残存した硬化型接着剤を更に除去する必要があるし、リサイクルの時、再度混練してシートに成形する場合に接着剤が粒状に残り不良の原因になる。なお、このような残存した接着剤の問題は、エマルジョン型や溶剤型の接着剤や粘着剤についても言えることである。
【０００３】
そこで、接着剤を使用しないで施工するいわゆる置き敷き型のタイルが開発された。この置き敷きタイルは、接着剤を使用しないで床面に単に敷き並べて施工し使用に供するものであり、確かにリサイクルには好適なタイルと言える。
しかしながら、接着剤で床下地に貼着していないため、長期間使用した場合、置き敷きタイルが突上げたり、反ったり、目地隙ができるなどの問題を生じることが判った。
また、特に二重床に置き敷きタイルを施工する場合には、全てのタイルの裏面に部分的に接着強度の弱い粘着剤（一般的には滑り止め剤と呼ばれている）を適用することも行われている。しかし、これでは折角の置き敷きタイルのメリットが生かせない。
これら従来技術の問題点を解決する手段として、本出願人は、先に特願２００１−１２４４７０号において、ホットメルト接着剤を用いる床タイルの施工方法の発明を出願した。しかし、この発明は、一部分の床タイルを接着剤で固定し、残りの床タイルは単に置敷することを要件としているものの、固定する床タイルの位置に関する具体的記載はない。
【０００４】
【発明が解決しようとする課題】
本発明は、通常の床タイル用の接着剤や粘着剤を使用し、置き敷きタイルのリサイクルにおける有用性を実質的に確保しつつ、使用上の問題を解決できる床タイルの施工方法の提供を目的とする。
【０００５】
【課題を解決するための手段】
本発明者が検討したところ、床タイルの歩行によるズレや突上げ、目地隙などは室内の入口部分や通路部分で顕著であることが分った。そこで、次の発明によって上記課題を解決した。
「室内の入口部分および／または通路部分の床タイルを接着剤または粘着剤で床下地に貼着し、それ以外の部分の床タイルは置き敷きにより敷設する床タイルの施工方法において、前記室内の入り口部分および／または通路部分の床タイルに対して、塗布量３０ｇ／ｍ２で塗布した場合のせん断粘着力が０．０１Ｎ／ｍｍ２以上、０．０３Ｎ／ｍｍ２以下の接着剤または粘着剤を使用し、床タイルの裏面同士を向い合わせて重ねた時、該粘着剤同士が互いに重なり合うような形で、かつ床タイルの裏面の四隅と四隅以外の裏面の一部に粘着剤が部分的に設けられており、粘着剤の塗布割合が、裏面の全面積の３％以上、３０％以下であり、かつ床タイルの端縁から内部に向って５０ｍｍまでの範囲に全塗布量の４０〜８０％の粘着剤が使用された床タイルを使用することを特徴とする床タイルの施工方法。」
上記本発明によれば、人が歩行する頻度の高い室内の入口部分や通路部分の床タイルが床下地に接着固定されるので、この部分での歩行によるズレや突上げ、目地隙などが生じない。他の床タイルは単に置き敷きされるだけであるが、前記接着固定された床タイルの存在によりその固定効果が波及するので、周辺の大部分の床タイルは単に置き敷きするだけでもズレを生じることはない。
【０００６】
本発明の対象となる床タイル（以下、単にタイルということもある）としては、カーペットタイル、木材、合成樹脂、リノリュウムなどからなる任意の床材が含まれる。特にカーペットタイルや置敷タイプの合成樹脂床タイルが本発明の施工方法に好適である。
床タイルの大きさは、寸法が３０〜１００（好ましくは４０〜６０）ｃｍ角、厚みが２〜１２（好ましくは４〜８）ｍｍのものが一般的である。但し、これらの数値は本発明を限定するものではない。
【０００７】
接着剤および粘着剤の組成は特に限定されず、通常の床タイル用の接着剤および粘着剤を使用できるが、リサイクル等を考慮すると、粘着剤、とりわけ滑り止め剤として使用されている接着強度があまり高くない粘着タイプのものが好ましい。また、床タイルの材質との親和性を考慮して選択することが好ましい。
好ましい粘着剤としては、本出願人が先に出願した特願２０００−３６６９１３号に記載したものが挙げられる。即ち、該先願に記載された粘着剤は、塗布量３０ｇ／ｍ２で塗布した場合のせん断粘着力が０．０１Ｎ／ｍｍ２以上、０．０３Ｎ／ｍｍ２以下、好ましくは０．０１Ｎ／ｍｍ２以下のものである。
せん断粘着力が０．０３Ｎ／ｍｍ２を越えると、施工時に剥がし難くなり作業性が極端に低下する。また、せん断粘着力が０．０１Ｎ／ｍｍ２未満のものを使用すると、施工時に目地ズレが起こり易いし、施工後でもスロープ部分などにおいてズレが発生したりするので好ましくない。なお、せん断粘着力の試験方法はＪＩＳ  Ｚ  ０２３７による。
【０００８】
接着剤および粘着剤の種類としては、水系、溶剤系、あるいは紫外線や電子線硬化型のものなどが使用でき、ＳＢＲ、ＮＢＲなどのラテックス類、エチレン−酢酸ビニル共重合体、アクリル系樹脂などのエマルジョンが使用できる。また、粘着剤用の重合体や共重合体を架橋させたタイプのもの、重合性単量体と架橋性単量体とを重合、架橋させたタイプのものなども使用することができる。その具体例としては、ウレタン系、アクリル系、スチレン−ブタジエン系などのポリマーを挙げることができる。
また、塩化ビニル系樹脂床材の場合には、塩化ビニル系樹脂も使用できるが、この場合は、可塑剤、特にトリメリット酸エステル系可塑剤のような比較的分子量の大きい可塑剤を多量に配合する必要があり、例えば樹脂１００重量部に対してトリメリット酸エステル系可塑剤１００〜３００重量部を用いることが好ましい。
【０００９】
特に好ましい粘着剤としては、多官能ポリイソシアネート化合物と分子量５００〜８０００のポリ（オキシアルキレン）グリコール（アルキレンの炭素数は２〜４である）との三次元架橋重合体を主成分とするものである。とりわけ、前記多官能ポリイソシアネート化合物がポリオールとポリイソシアネートとの反応によって得られる末端イソシアネート基含有ポリイソシアネートであるものが好ましく、また、前記ポリ（オキシアルキレン）グリコールがポリ（オキシプロピレン）グリコールであるものが好ましい（特許第２８０８２２５号〔００１３〕〜〔００１４〕、特開２０００−２４８２５０号公報参照）。また、実願平３−１１２１７９号マイクロフィルム〔００１０〕〜〔００１３〕に記載されているような紫外線硬化型の滑り止め剤も使用可能である。
更に、これらの粘着剤としては液状のものをそのまま使用してもよいが、例えば、実公昭４０−８８６６号公報、特開平６−１５８８３７号公報、特許第２５４３４３２号公報に記載されているように、粘着剤をシートやネットに付着させた粘着剤付ネットまたはシート状体として使用してもよい。
【００１０】
図１は本発明の施工方法の一例を示す概念図（平面図）であって、室内の入口部分１０と通路部分２０の床タイルＴ１（斜線を施した部分）は粘着剤で下地に貼着されており、それ以外の室内部分３０の床タイルＴ２は単に置き敷きで施工されている状態を示している。また、４０は入口のドアを示しており、タイルの寸法と部屋の寸法との関係は、実物と同様な比例関係にはなく、あくまでも概念的参考図である。
入口部分１０及び通路部分２０として粘着剤で貼る範囲は特に決められている訳ではなく、実際の入口や通路の広さに応じて、人が歩行するエリアをカバーすることを目安に適宜決定すればよい。
粘着剤は床下地側に塗布してもよいし、タイル側に塗布してもよい。タイル側に塗布する場合には、予め粘着剤を塗布したものを使用する方が効率的である。この場合、粘着剤は床タイルの裏面全体に設けてもよいが、部分的に（例えば、水玉模様、ストライプ状、格子状、又はこれらを組み合わせたタイプ）設けてもよい。
【００１１】
部分的に設ける場合には、本出願人が先に出願した特願２０００−３６６９１３号や特願２００１−２７４１９３号に記載した形成条件が適している。
特願２００１−２７４１９３号の形成条件は概ね次のようなものである。
「裏面に合成樹脂層を有する床タイルの裏面（合成樹脂層面）に粘着剤を部分的に設けた床タイルであって、該床タイルの裏面同士を向かい合わせて重ね合わせたときに、該粘着剤同士が互いに重なり合うように構成されている床タイルセットにおいて、該粘着剤は、床タイルの裏面の四隅と四隅以外の裏面の一部に部分的に設けられていることを特徴とする床タイルセット。」
【００１２】
粘着剤の塗布割合は、裏面の全面積の３％以上、３０％以下、好ましくは２０％以下、更に好ましくは４〜１０％とする。３０％以上にすると施工時に剥がし難く、作業性が低下するしコスト高になる。
隅部以外の裏面の塗布パターンには特に制限はないが、全体に均等なパターンであることが好ましい。特に直径が５〜２０ｍｍのいわゆる水玉模様の塗布パターンで所定の面積比となるように均等に塗布するのが好ましい。但し、床タイルの周辺部は剥がし難くならない範囲内で塗布比率を高くする方が床タイルの施工後の安定性という点で好ましい。
本発明者の研究によれば、床タイルの端縁から内部に向って５０ｍｍまでの範囲に、全塗布量の４０〜８０％を使用することが好ましい。その上で、床タイル裏面全体に対して粘着剤塗布部分が３０％以下となるように調節すると、施工時に剥がし易く、且つ施工後にズレ難いので極めて好ましい。
【００１３】
上記好ましいのり付きタイルの一例を図２に示す。
図２は、一辺５００ｍｍの床タイルの裏面を示す図である。１の黒塗り部分は四隅部分に塗布した粘着剤である。２は裏面全体に水玉模様（直径１０ｍｍ）のパターンで塗布した粘着剤であり、３は周辺部の塗布比率を高くするために水玉模様に加えて塗布した粘着剤（直径１０ｍｍ）である。この周辺部の粘着剤３は、図では水玉模様と同じ間隔で設けた例を示したが、これに限られるものではなく、一般的には２５〜１００ｍｍの均等間隔で設けることが好ましい。
このような間隔を置いて周辺部の粘着剤３を設けると、床タイルの粘着剤同士が互いに重なり合って床タイルセットとなっているものを２枚のタイルに分離するとき、前記２５〜１００ｍｍの粘着剤が無い間隔部分に丁度うまく指を差し込むことができ、スムーズに床タイルセットを分離することができるので、作業効率を向上させることができる。
【００１４】
但し、粘着剤の粘着力が強い場合には、間隔が狭いと剥がし難くなることは避けられないので、辺央部Ｌ２のみ粘着剤３の間隔を他よりも広く（例えば５０〜２５０ｍｍ）して剥離用非貼着部分４を設けることが好ましい。この剥離用非貼着部分４は４辺のうち少なくとも１辺に設ければ良いが、施工効率の観点からは４辺全てに設けることが好ましい。また、剥離用非貼着部分４の辺端から中央に向っての奥行Ｌ３は２０〜７０ｍｍが適当である。
四隅部分の粘着剤１は、その他の周辺部分と条件が異なるので同様にはできないが、床タイルセットの分離には何の影響もないので、施工後のズレが生じない程度に粘着剤が存在すれば格別の問題はない。なお、図中のＬ１は、通常５〜５０ｍｍ（好ましくは１０〜３０ｍｍ）である。
上記のような糊付きタイプは、下地が二重床パネルなどの場合に好適に使用できる。
【００１５】
【発明の効果】
本発明によれば、置き敷きタイルの施工にあたり、入口や通路部分を接着剤や粘着剤を用いて施工し、他の大部分は置き敷きにより施工するので、置き敷きタイルのリサイクルの有効性を実質的に確保しながら、置き敷きタイルの問題点である突上げ、反り、目地隙、ズレなどを防止できる。
【図面の簡単な説明】
【図１】本発明の施工方法の一例を示す概念図（平面図）である。
【図２】本発明において使用するのり付きタイルの一例を示す裏面図である。
【符号の説明】
１  四隅部分に塗布した粘着剤
２  裏面全体に水玉模様のパターンで塗布した粘着剤
３  周辺部の粘着剤
４  辺央部の剥離用非貼着部分
１０  室内の入口部分
２０  通路部分
３０  置き敷きで施工されている部分
４０  入口のドア
Ｔ１  粘着剤で施工されたタイル
Ｔ２  置き敷きされたタイル
Ｌ１  四隅部分に塗布した粘着剤の角からの距離
Ｌ２  辺央部の粘着剤の間隔が広い部分
Ｌ３  辺央部の剥離用非貼着部分の奥行
【図１】
0004095787.tif 000002
【図２】
0004095787.tif 000003